(57)【要約】【課題】遠隔操作、自動運転が可能な、使用性の高い酸素富化機を提供することを目的とする。【解決手段】酸素富化空気を発生する酸素富化手段１５、前記酸素富化空気を吸引する吸引手段１０を有する本体１と、前記酸素富化空気を本体１外へ吐出する吐出部７を有し前記本体１に接続された吐出手段２と、機器の運転動作を制御する制御手段８とを備え、使用者は、前記吐出部７を自身の近傍に配置させ、本体１より離れた状態で使用可能であるとともに、機器の運転動作を遠隔操作にて変更可能に構成したもので、本体１の設置されている場所まで行かなくとも、機器の運転動作の変更が行える非常に利便性、使用性の高い酸素富化機を提供できる。【選択図】  図１
2004357838.tif 000002
【特許請求の範囲】
【請求項１】
酸素富化空気を発生する酸素富化手段、前記酸素富化空気を吸引する吸引手段を有する本体と、前記酸素富化空気を本体外へ吐出する吐出部を有し前記本体に接続された吐出手段と、機器の運転動作を制御する制御手段とを備え、使用者は、前記吐出部を自身の近傍に配置させ、本体より離れた状態で使用可能であるとともに、機器の運転動作を遠隔操作にて変更可能に構成した酸素富化機。
【請求項２】
遠隔操作を行う操作部を、吐出手段に設けた請求項１記載の酸素富化機。
【請求項３】
操作部を、吐出部の近傍に設けた請求項２記載の酸素富化機。
【請求項４】
遠隔操作を行う操作部を、ワイヤレスリモコン上に設けた請求項１記載の酸素富化機。
【請求項５】
酸素富化空気を発生する酸素富化手段、前記酸素富化空気を吸引する吸引手段を有する本体と、前記酸素富化空気を本体外へ吐出する吐出部を有し前記本体に接続された吐出手段と、機器の運転動作を制御する制御手段とを備え、使用者は、前記吐出部を自身の近傍に配置させ、本体より離れた状態で使用可能であるとともに、前記制御手段は、前記吐出部が使用者の近傍にセットおよび／または排除されたことを自動的に認識して、機器の運転動作を変更する酸素富化機。
【請求項６】
吐出手段に、周囲の温度を検知する温度検知手段を設けた請求項５記載の酸素富化機。
【請求項７】
吐出手段に、周囲のＣＯ２濃度を検出するＣＯ２濃度検知手段を設けた請求項５記載の酸素富化機。
【請求項８】
酸素富化空気を発生する酸素富化手段、前記酸素富化空気を吸引する吸引手段を有する本体と、前記酸素富化空気を機外へ吐出する吐出部を有し前記本体に接続された吐出手段と、機器の運転動作を制御する制御手段とを備え、使用者は、前記吐出部を自身の近傍に配置させ、本体より離れた状態にて使用可能であるとともに、前記制御手段は、前記使用者の周囲の環境状態を認識して、機器の運転動作を変更する酸素富化機。
【請求項９】
吐出手段に、周囲の酸素濃度を検知する酸素濃度検知手段を設けた請求項８記載の酸素富化機。
【請求項１０】
吐出手段に、周囲のＣＯ２濃度を検知するＣＯ２濃度検知手段を設けた請求項８記載の酸素富化機。
【請求項１１】
吐出手段には、検知手段で検知した情報を発信する発信手段を、本体には、前記情報を受信する受信手段を設け、情報の送受信をワイヤレスで行う請求項６、７、９、１０のいずれか１項に記載の酸素富化機。
【発明の詳細な説明】
【０００１】
【発明の属する技術分野】
本発明は、酸素富化手段を用いて得られる、いわゆる酸素富化空気を使用者に提供する酸素富化機に関するものである。
【０００２】
【従来の技術】
従来の酸素富化機としては、空気中の酸素を濃縮して酸素富化空気を発生させる装置本体と、これに接続された酸素吐出部とを基本構成とし、例えばマイナスイオン発生手段を備えるなどして様々に展開されてきている（例えば、特許文献１参照）。
【０００３】
【特許文献１】
特開平１０−２３４８３６号公報
【０００４】
【発明が解決しようとする課題】
しかしながら従来の発明では、機器の操作、制御に関する部分には、詳細な記述がなく、使用性は必ずしもよいものとはいえない状態であった。
【０００５】
本発明は、前記従来の課題を解決するもので、遠隔操作、自動運転が可能な、使用性の高い酸素富化機を提供することを目的とする。
【０００６】
【課題を解決するための手段】
前記従来の課題を解決するために本発明は、酸素富化空気を発生する酸素富化手段、前記酸素富化空気を吸引する吸引手段を有する本体と、前記酸素富化空気を本体外へ吐出する吐出部を有し前記本体に接続された吐出手段と、機器の運転動作を制御する制御手段とを備え、使用者は、前記吐出部を自身の近傍に配置させ、本体より離れた状態で使用可能であるとともに、機器の運転動作を遠隔操作にて変更可能に構成したもので、機器を運転・停止したいときに、機器本体の設置されている場所まで行かなくとも、機器の運転動作の変更が行える非常に利便性、使用性の高い酸素富化機を提供できる。
【０００７】
【発明の実施の形態】
請求項１に記載の発明は、酸素富化空気を発生する酸素富化手段、前記酸素富化空気を吸引する吸引手段を有する本体と、前記酸素富化空気を本体外へ吐出する吐出部を有し前記本体に接続された吐出手段と、機器の運転動作を制御する制御手段とを備え、使用者は、前記吐出部を自身の近傍に配置させ、本体より離れた状態で使用可能であるとともに、機器の運転動作を遠隔操作にて変更可能に構成したもので、機器を運転・停止したいときに、機器本体の設置されている場所まで行かなくとも、機器の運転動作の変更が行える非常に利便性、使用性の高い酸素富化機を提供できる。
【０００８】
請求項２に記載の発明は、遠隔操作を行う操作部を、吐出手段に設けたもので、機器を運転したいときに、機器本体の設置されている場所まで行かずとも、機器の運転動作の変更が行えるものである。
【０００９】
請求項３に記載の発明は、操作部を、吐出部の近傍に設けたもので、吐出部は通常、使用者の顔面近傍に配置されている関係上、使用者の手元付近に操作部が存在するので、さらに使用性が向上できるものである。
【００１０】
請求項４に記載の発明は、遠隔操作を行う操作部を、ワイヤレスリモコン上に設けたもので、機器の運転動作を変更したいときに、機器本体の設置されている場所まで行かずとも、機器の運転動作の変更が行えるものである。
【００１１】
請求項５に記載の発明は、酸素富化空気を発生する酸素富化手段、前記酸素富化空気を吸引する吸引手段を有する本体と、前記酸素富化空気を本体外へ吐出する吐出部を有し前記本体に接続された吐出手段と、機器の運転動作を制御する制御手段とを備え、使用者は、前記吐出部を自身の近傍に配置させ、本体より離れた状態で使用可能であるとともに、前記制御手段は、前記吐出部が使用者の近傍にセットおよび／または排除されたことを自動的に認識して、機器の運転動作を変更するもので、使用者自身が運転開始・停止をするためにスイッチを押したり、また、それを意識したりすることなく、機器が使用できるため、非常に利便性、使用性の高い酸素富化機を提供できる。
【００１２】
請求項６に記載の発明は、吐出手段に、周囲の温度を検知する温度検知手段を設けたもので、使用者は吐出手段を人体にセットするだけで、わずらわしいスイッチ動作をしなくとも、自動で機器の運転開始・停止が実現できるものである。
【００１３】
請求項７に記載の発明は、吐出手段に、周囲のＣＯ２濃度を検出するＣＯ２濃度検知手段を設けたもので、使用者は吐出手段を人体にセットするだけで、わずらわしいスイッチ動作をしなくとも、自動で機器の運転開始・停止が実現できるものである。
【００１４】
請求項８に記載の発明は、酸素富化空気を発生する酸素富化手段、前記酸素富化空気を吸引する吸引手段を有する本体と、前記酸素富化空気を機外へ吐出する吐出部を有し前記本体に接続された吐出手段と、機器の運転動作を制御する制御手段とを備え、使用者は、前記吐出部を自身の近傍に配置させ、本体より離れた状態にて使用可能であるとともに、前記制御手段は、前記使用者の周囲の環境状態を認識して、機器の運転動作を変更するもので、運転中に使用者近傍の環境状態が変化しても、機器が常に最適な状態で運転を行うので、使用性の高い酸素富化機を提供できるものである。
【００１５】
請求項９に記載の発明は、吐出手段に、周囲の酸素濃度を検知する酸素濃度検知手段を設けたもので、運転中に使用者近傍の環境状態が変化しても、常に性能維持する使用性の高い酸素富化機を提供できるものである。
【００１６】
請求項１０に記載の発明は、吐出手段に、周囲のＣＯ２濃度を検知するＣＯ２濃度検知手段を設けたもので、運転中に使用者近傍の環境状態が変化しても、常に性能維持する使用性の高い酸素富化機を提供できるものである。
【００１７】
請求項１１に記載の発明は、吐出手段には、検知手段で検知した情報を発信する発信手段を、本体には、前記情報を受信する受信手段を設け、情報の送受信をワイヤレスで行うもので、わずらわしいケーブル等がなく、使用性の高い酸素富化機を提供するものである。
【００１８】
【実施例】
（実施例１）
以下、本発明の第１の実施例について図面を用いて説明する。
【００１９】
図１は回路構成ブロック図、図２は概観図である。
【００２０】
図１において、本体１の内部には、酸素の濃度を高めいわゆる酸素富化空気を発生する酸素富化手段１５（本実施例の場合は酸素富化膜ユニット）を設けている。前記酸素富化手段１５の酸素富化膜ユニットは有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施例の酸素富化膜ユニット（酸素富化手段１５）を通過後の酸素富化空気においては、酸素が占める割合が約３０％（窒素約７０％）となる。
【００２１】
１０は吸引手段で、酸素富化手段１５で生成される酸素富化空気を、第３の連結管１１を経て吸引して、吐出手段２である、第１の連結管３と液だまり５と第２の連結管４とヘッドセット６とを経て吐出部７から吐出させる。いわゆる前記第１の連結管３から吐出部７までの酸素富化空気の通過経路を有する部材が吐出手段２である。８は制御手段で、操作部１９からの指令に基づき、次に説明する吸引手段１０の運転動作を制御する。吸引手段１０は、酸素富化手段１５の酸素富化膜の通過圧損に対抗して酸素富化空気の流量を稼ぐために、運転時の圧力が高いベローズポンプを用いている。このように、ヘッドセット６と第２の連結管４と液だまり５と第１の連結管３と吸引手段１０と第３の連結管１１とで、酸素富化手段１５から吐出部７に至る空気流路２４を形成している。
【００２２】
図２の６は、吐出手段２に設けられているヘッドセットで、使用者が本装置を使用して酸素富化空気を吸引するときに頭部近傍に本ヘッドセット６を装着する。ところで、酸素富化手段１５（酸素富化膜ユニット）は酸素と同様水蒸気の透過度も窒素より大きく、湿度が高い雰囲気などで運転したときには酸素富化手段（酸素富化ユニット）から排出される酸素富化空気内には多量の水蒸気が含まれることとなるため、その水蒸気が吐出部７に結露水として達するのを低減させるために液だまり５が配置してある。また、ヘッドセット６には、酸素富化機の運転制御をするための操作部１９が備えられ、第１の連結管、第２の連結管と並行に配設された信号線２５を経て、本体１の制御手段８へと接続されている。
【００２３】
以上のように構成された酸素富化機においてその動作を説明する。
【００２４】
使用者がヘッドセット６が有する吐出部７の近傍に設けられた操作部１９を操作することにより、運転を開始すると、操作部１９から信号線２５を経て本体の制御手段８へと指令が伝達し、吸引手段１０を駆動し、酸素富化機が運転される。酸素富化手段１５で生成される酸素富化空気は第３の連結管１１を経て吸引手段１０によって吸引され、第１の連結管３と液だまり５と第２の連結管４とヘッドセット６を経て吐出部７から吐出される。
【００２５】
以上の発明によれば、使用者は、ヘッドセット６を装着する動作の前後に本体１の運転を開始することができるので、離れた位置にある、本体１まで行かずとも運転が可能であり、高い使用性が得られる。
【００２６】
なお、機器を停止するときも同様の使用性が得られるとともに、吐出酸素の量を制御したり、タイマー機能等を備えた酸素富化機の場合には、それらのあらゆる制御をヘッドセット６で行うことができるため、非常に便利である。また、ヘッドセット６と、本体１との通信は、無線によっても実現することが可能である。
【００２７】
（実施例２）
以下、本発明の第２の実施例について図３と図４を参照しながら説明する。なお、上記の実施例と同一構成部品については同一記号を付与してその説明を省略する。
【００２８】
図３は回路構成ブロック図、図４は概観図である。
【００２９】
図３、図４において、１９は操作部で、液だまり５に設けられており、第１の連結管３と並行に配設された信号線２５を経て、本体１の制御手段８へと接続されている。
【００３０】
以上のように構成された酸素富化機においてその動作を説明する。
【００３１】
使用者が、吐出手段２が有している液だまり５に設けられた操作部１９を操作することにより、運転を開始すると、操作部１９から信号線２５を経て本体の制御手段８へと指令が伝達し、吸引手段１０を駆動し、酸素富化機が運転される。酸素富化手段１５で生成される酸素富化空気は第３の連結管１１を経て吸引手段１０によって吸引され、第１の連結管３と液だまり５と第２の連結管４とヘッドセット６を経て吐出部７から吐出される。
【００３２】
以上の発明によれば、使用者は、ヘッドセット６を装着した後、手元付近にある液だまり５の操作部１９によって、本体１の運転を開始することができるので、離れた位置にある本体１まで行かずとも運転が可能であり、高い使用性が得られる。
【００３３】
なお、機器を停止するときも同様の使用性が得られるとともに、吐出酸素の量を制御したり、タイマー機能等を備えた酸素富化機の場合には、それらのあらゆる制御を手元で行うことができるため、非常に便利である。また、操作部１９と、本体１との通信は、無線によっても実現することが可能である。
【００３４】
（実施例３）
以下、本発明の第３の実施例について図５と図６を参照しながら説明する。なお、上記の実施例と同一構成部品については同一記号を付与してその説明を省略する。
【００３５】
図５は回路構成ブロック図、図６は概観図である。
【００３６】
図５、図６において、２８はワイヤレスリモコンで、本体１のリモコン装着部３０に対して、着脱可能な構成となっている。１９は、ワイヤレスリモコン２８に備えられた操作部で、２７は送信部、２６は本体１内に設けられた受信部であり、電気的に制御手段８と接続されている。
【００３７】
以上のように構成された酸素富化機においてその動作を説明する。
【００３８】
使用者が運転を開始すべく、ワイヤレスリモコン２８に備えられた操作部１９を操作すると、同じワイヤレスリモコン上に備えられた送信部２７へと信号が伝達され、ここから、電波や、赤外線などの媒体を通して、本体１の受信部２６へと信号が伝達される。受信された信号は、制御手段８へと伝わる。それを受けて制御手段８は、吸引手段１０を駆動し、酸素富化機が運転される。酸素富化手段１５で生成される酸素富化空気は第３の連結管１１を経て吸引手段１０によって吸引され、第１の連結管３と液だまり５と第２の連結管４とヘッドセット６を経て吐出部７から吐出される。
【００３９】
以上の発明によれば、使用者は、ヘッドセット６を装着する前後に、ワイヤレスリモコン上の操作部１９によって、本体１の運転を開始することができるので、離れた位置にある本体１まで行かずとも運転が可能であり、高い使用性が得られる。特に、たとえば、第１の連結管３が長く、本体１との距離が離れているほど、利便性は高まる。また、ワイヤレスリモコン２８は、本体１に着脱可能なので、機器を長時間使用しないときなどには、本体１に格納し、紛失を防止できる。
【００４０】
なお、機器を停止するときも同様の使用性が得られるとともに、吐出酸素の量を制御したり、タイマー機能等を備えた酸素富化機の場合には、それらのあらゆる制御をワイヤレスリモコンで行うことができるため、非常に便利である。
【００４１】
（実施例４）
次に本発明の第４の実施例について図７と図８を参照しながら説明する。なお、上記実施例と同一機能部位については同一記号を付与してその説明を省略する。図７は回路構成ブロック図、図８は概観図ある。
【００４２】
吐出手段２に設けられているヘッドセット６には、温度検知手段３５が備えられ、第１の連結管３、第２の連結管４と並行に配された信号線２５を経て、本体１の制御手段８へと接続されている。
【００４３】
以上のように構成された酸素富化機においてその動作を説明する。
【００４４】
使用者がヘッドセット６を頭部に装着すると、ヘッドセット６に備えられた温度検知手段３５が人体に密着し、人体の温度を感知する。その温度が、信号線２５を経て、本体１の制御手段８へと伝達され、そこで、ヘッドセット６が頭部に装着されたということを認識する。すると、制御手段８は、酸素富化機に運転指令を出し、吸引手段１０が運転される。酸素富化手段１５で生成される酸素富化空気は第３の連結管１１を経て吸引手段１０によって吸引され、第１の連結管３と液だまり５と第２の連結管４とヘッドセット６を経て吐出部７から吐出される。
【００４５】
この実施例によれば、使用者は、ヘッドセット６を装着するだけで、ヘッドセット６に備えられた温度検知手段３５が人体の温度を感知して、酸素富化機を動作させるので、本体１等の操作部を操作しなくても、運転が可能であり、使用性が向上する。また、逆にヘッドセット６をはずした場合にも、温度検知手段３５が働き、機器を停止させることもでき、スイッチの消し忘れも防止できる。
【００４６】
（実施例５）
次に本発明の第５の実施例について図９と図１０を参照しながら説明する。上記の実施例と同一構成部品については同一記号を付与してその説明を省略する。図９は回路構成ブロック図、図１０は概観図である。
【００４７】
吐出手段２に設けられているヘッドセット６の吐出部７近傍には、ＣＯ２濃度検知手段３６が、ヘッドセット６の側面部には、酸素濃度検出手段３７がそれぞれ備えられ、それらは、第１の連結管３、第２の連結管４と並行して配された信号線２５を経て、本体１の制御手段８へと電気的に接続されている。
【００４８】
以上のように構成された酸素富化機においてその動作を説明する。
【００４９】
使用者がヘッドセット６を頭部に装着すると、ヘッドセット６の吐出部７近傍に備えられたＣＯ２濃度検知手段３６が人体の吐息を捉え、その中に含まれるＣＯ２の濃度を検出する。そして信号を信号線２５を通して、本体１の制御手段８へと伝達され、ヘッドセット６が頭部に装着されたということを認識する。その結果、制御手段８は、吸引手段１０の運転を開始する。すると、空気が空気取り入れ部１２から連結管１１を経て吸引手段１０によって吸引され、第１の連結管３と液だまり５と第２の連結管４とヘッドセット６を経て吐出部７から吐出される。
【００５０】
次に、酸素富化機運転中、ヘッドセット６に備えられた酸素濃度検知手段３７は、使用者近傍の室内の空気中に開放され、室内の酸素濃度をある定められたタイミングごとに監視し、信号線２５を通して、制御手段８に伝達している。そして、使用者近傍の酸素濃度が低下すると、制御手段８は、吸引手段１０の出力をアップし、使用者により多くの酸素を送り込むよう動作する。
【００５１】
以上の発明によれば、使用者は、ヘッドセット６を装着するだけで、ヘッドセット６に備えられたＣＯ２濃度検知手段が人体から吐出されるＣＯ２濃度を検知して、ヘッドセット６が装着されたことを判断し、吸引手段１０を動作させるので、本体１等に備えらた操作部を操作しなくても運転が可能であり、使用性が向上する。また、逆にヘッドセット６をはずした場合にも、ＣＯ２濃度検知手段３６が働き、吸引手段１０を停止させることもでき、スイッチの消し忘れも防止できる。さらに、酸素富化機運転中は、ヘッドセット６に備えられた酸素濃度検知手段３６が、使用者近傍の酸素濃度を監視しているので、使用者近傍の空間の酸素濃度が低下すれば、酸素量をアップし、常に適切な酸素吐出量にコントロールすることが可能である。
【００５２】
なお、運転中に使用者近傍の環境を監視する手段としては、酸素濃度のみならず、ＣＯ２濃度を監視して、それによって、酸素吐出量をコントロールしてもよい。
【００５３】
また、図１１に示すように、ＣＯ２濃度検出手段３６と酸素濃度検出手段３７からの出力を、ヘッドセット６に備えられた送信部２７に伝達し、電波または、赤外線によって、本体１の受信部２６へ送信し、同様の制御を実現することも可能である。
【００５４】
【発明の効果】
本発明によれば、遠隔操作、自動運転が可能な、使用性の高い酸素富化機を提供できる。
【図面の簡単な説明】
【図１】本発明の第１の実施例における酸素富化機の回路構成ブロック図
【図２】同酸素富化機の概観図
【図３】本発明の第２の実施例における酸素富化機の回路構成ブロック図
【図４】同酸素富化機の概観図
【図５】本発明の第３の実施例における酸素富化機の回路構成ブロック図
【図６】同酸素富化機の概観図
【図７】本発明の第４の実施例における酸素富化機の回路構成ブロック図
【図８】同酸素富化機の概観図
【図９】本発明の第５の実施例における酸素富化機の回路構成ブロック図
【図１０】同酸素富化機の概観図
【図１１】同他の酸素富化機の回路構成ブロック図
【符号の説明】
１    本体
２    吐出手段
６    ヘッドセット
７    吐出部
８    制御手段
１０  吸引手段
１５  酸素富化手段（酸素富化膜ユニット）
１９  操作部
２５  信号線
２６  受信部
２７  送信部
２８  ワイヤレスリモコン
３０  リモコン装着部
３５  温度検出手段
３６  酸素濃度検出手段
３７  ＣＯ２濃度検出手段
【図１】
2004357838.tif 000003
【図２】
2004357838.tif 000004
【図３】
2004357838.tif 000005
【図４】
2004357838.tif 000006
【図５】
2004357838.tif 000007
【図６】
2004357838.tif 000008
【図７】
2004357838.tif 000009
【図８】
2004357838.tif 000010
【図９】
2004357838.tif 000011
【図１０】
2004357838.tif 000012
【図１１】
2004357838.tif 000013